(57)【要約】【課題】ネットワークに常時接続できない環境であっても、コンテンツデータを正確かつ効率的に生成すること。【解決手段】イベント記録装置２とネットワークを確立し、イベント記録装置２に対してイベント記録装置２の現在時刻を問い合わせて取得する通信部３６と、コンテンツ生成装置５の現在時刻と取得したイベント記録装置２の現在時刻とに基づいて、コンテンツ生成装置５における撮像時間に相当するイベント記録装置２における時間を決定する時間同期部４８と、撮像終了後にイベント記録装置２における時間に相当する複数の画面画像データとイベント情報とを受信する受信部３７と、撮像した動画データと受信したイベント記録装置２における時間に相当する複数の画面画像データとイベント情報とに基づいてコンテンツファイル５２ａを生成するコンテンツ生成部４３とを備えた。【選択図】        図２
2007213263.tif 000002
【特許請求の範囲】
【請求項１】
経時的に進行する場面における複数の画面画像データと、前記画面画像に対応した場面で撮像された複数の動画データとを含むコンテンツデータを生成するコンテンツ生成装置であって、
撮像手段によって撮像された動画データを取得する取得手段と、
ネットワークに接続され、前記複数の画面画像データを保持するとともに前記複数の画面画像データの操作に関するイベント情報を記録するイベント記録装置とネットワークを確立し、前記イベント記録装置に対して前記イベント記録装置の現在時刻を問い合わせ、前記イベント記録装置の現在時刻を取得する通信手段と、
前記コンテンツ生成装置の現在時刻と前記通信手段によって取得した前記イベント記録装置の現在時刻とに基づいて、前記コンテンツ生成装置における撮像時間に相当する前記イベント記録装置における時間を決定する時間同期手段と、
前記撮像手段による撮像終了後に、前記イベント記録装置から、前記時間同期手段によって決定された前記イベント記録装置における時間に相当する前記複数の画面画像データと前記イベント情報とを受信する受信手段と、
前記取得手段によって取得した前記動画データと、前記受信手段によって受信した前記イベント記録装置における時間に相当する前記複数の画面画像データと前記イベント情報とに基づいて、前記コンテンツデータを生成する生成手段と、
を備えたことを特徴とするコンテンツ生成装置。
【請求項２】
前記通信手段は、前記撮像手段による撮像終了後に、前記イベント記録装置とネットワークを確立し、前記イベント記録装置に対して前記イベント記録装置の現在時刻を問い合わせ、前記イベント記録装置の現在時刻を取得することを特徴とする請求項１に記載のコンテンツ生成装置。
【請求項３】
前記通信手段は、前記撮像手段による撮像開始時に、前記イベント記録装置とネットワークを確立し、前記イベント記録装置に対して前記イベント記録装置の現在時刻を問い合わせ、前記イベント記録装置の現在時刻を取得し、取得後に前記イベント記録装置とのネットワークを切断し、前記撮像手段による撮像終了後に、再度、前記イベント記録装置とのネットワークを確立することを特徴とする請求項１に記載のコンテンツ生成装置。
【請求項４】
前記時間同期手段は、前記コンテンツ生成装置による前記問い合わせ時の現在時刻と前記通信手段によって取得した前記イベント記録装置の現在時刻の差から前記コンテンツ生成装置における撮像時間に相当する前記イベント記録装置における時間を決定することを特徴とする請求項１に記載のコンテンツ生成装置。
【請求項５】
前記撮像手段による撮像終了後に、前記イベント記録装置における時間に相当する前記複数の画面画像データの中から利用者によって所望の前記複数の画面画像データの選択指示を受け付ける指示受付手段を、さらに備え、
前記受信手段は、前記撮像手段による撮像終了後に、前記イベント記録装置から、前記指示受付手段によって選択指示を受け付けた前記複数の画面画像データと前記イベント情報とを受信することを特徴とする請求項１に記載のコンテンツ生成装置。
【請求項６】
前記生成手段は、さらに、前記イベント記録装置から受信した前記複数の画面画像データの中で、前記撮像時間の開始直後の時間に相当する前記画面画像に対応するイベント情報を撮像開始時まで拡張して、前記コンテンツデータを生成することを特徴とする請求項１に記載のコンテンツ生成装置。
【請求項７】
前記生成手段は、さらに、前記イベント記録装置から受信した前記複数の画面画像データの中で、前記撮像時間の終了直前の時間に相当する前記画面画像に対応するイベント情報を撮像終了時まで拡張して、前記コンテンツデータを生成することを特徴とする請求項１に記載のコンテンツ生成装置。
【請求項８】
前記時間同期手段は、前記コンテンツ生成装置による前記問い合わせ時の現在時刻と前記通信手段によって取得した前記イベント記録装置の現在時刻の受信時刻とからネットワーク遅延時間を求め、前記コンテンツ生成装置による前記問い合わせ時の現在時刻と前記通信手段によって取得した前記イベント記録装置の現在時刻の差から前記ネットワーク遅延時間を差し引いて、前記コンテンツ生成装置における撮像時間に相当する前記イベント記録装置における時間を決定することを特徴とする請求項１に記載のコンテンツ生成装置。
【請求項９】
経時的に進行する場面における複数の画面画像データと、前記画面画像に対応した場面で撮像された複数の動画データとを含むコンテンツデータを生成するコンテンツ生成装置において実行されるコンテンツ生成方法であって、
撮像手段によって撮像された動画データを取得する取得ステップと、
ネットワークに接続され、前記複数の画面画像データを保持するとともに前記複数の画面画像データの操作に関するイベント情報を記録するイベント記録装置とネットワークを確立し、前記イベント記録装置に対して前記イベント記録装置の現在時刻を問い合わせ、前記イベント記録装置の現在時刻を取得する通信ステップと、
前記コンテンツ生成装置の現在時刻と前記通信ステップによって取得した前記イベント記録装置の現在時刻とに基づいて、前記コンテンツ生成装置における撮像時間に相当する前記イベント記録装置における時間を決定する時間同期ステップと、
前記撮像手段による撮像終了後に、前記イベント記録装置から、前記時間同期ステップによって決定された前記イベント記録装置における時間に相当する前記複数の画面画像データと前記イベント情報とを受信する受信ステップと、
前記取得ステップによって取得した前記動画データと、前記受信ステップによって受信した前記イベント記録装置における時間に相当する前記複数の画面画像データと前記イベント情報とに基づいて、前記コンテンツデータを生成する生成ステップと、
を含むことを特徴とするコンテンツ生成方法。
【請求項１０】
経時的に進行する場面における複数の画面画像データと、前記画面画像に対応した場面で撮像された複数の動画データとを含むコンテンツデータを生成するコンピュータにおいて実行されるコンテンツ生成プログラムであって、
撮像手段によって撮像された動画データを取得する取得ステップと、
ネットワークに接続され、前記複数の画面画像データを保持するとともに前記複数の画面画像データの操作に関するイベント情報を記録するイベント記録装置とネットワークを確立し、前記イベント記録装置に対して前記イベント記録装置の現在時刻を問い合わせ、前記イベント記録装置の現在時刻を取得する通信ステップと、
前記コンピュータの現在時刻と前記通信ステップによって取得した前記イベント記録装置の現在時刻とに基づいて、前記コンピュータにおける撮像時間に相当する前記イベント記録装置における時間を決定する時間同期ステップと、
前記撮像手段による撮像終了後に、前記イベント記録装置から、前記時間同期ステップによって決定された前記イベント記録装置における時間に相当する前記複数の画面画像データと前記イベント情報とを受信する受信ステップと、
前記取得ステップによって取得した前記動画データと、前記受信ステップによって受信した前記イベント記録装置における時間に相当する前記複数の画面画像データと前記イベント情報とに基づいて、前記コンテンツデータを生成する生成ステップと、
をコンピュータに実行させることを特徴とするコンテンツ生成プログラム。
【発明の詳細な説明】
【技術分野】
【０００１】
本発明は、経時的に進行する場面における複数の画面画像データと画面画像データに対応した場面で撮像された複数の動画データとを含むコンテンツデータを生成するコンテンツ生成装置、コンテンツ生成方法およびコンテンツ生成プログラムに関する。
【背景技術】
【０００２】
例えば、プレゼンテーションなど経時的に進行する場面の複数のスライド等の画面画像データと画面画像データに対応した場面で撮像された複数の動画データとを含むコンテンツデータを生成するコンテンツ生成装置が一般的に知られている（例えば、特許文献１参照）。
【０００３】
このようなコンテンツ生成装置では、プレゼンテーションの間、スライド等の複数の画面画像データを保持するとともに、スライドの切替えなどのイベントや切替え時間をイベント情報として記録するイベント記録装置とネットワークを確立している。そして、コンテンツ生成装置では、撮像手段でプレゼンテーションの動画データを撮像しながら、イベント記録装置からネットワークを介して画面画像データやイベント情報を受信し、撮像された動画データと受信した画面画像データおよびイベント情報の同期をとって、プレゼンテーションの開催会場でプレゼンテーションが開催されている間にコンテンツデータを生成している（例えば、特許文献２参照）。
【特許文献１】特開２００４−２３４３８９号公報
【特許文献２】特開平１０−５５３９１号公報
【発明の開示】
【発明が解決しようとする課題】
【０００４】
このように従来のコンテンツ生成装置では、プレゼンテーション開催会場において、プレゼンテーションの開催中に、イベント記録装置とネットワーク接続しながら、コンテンツデータを生成しているが、プレゼンテーションの開催会場によっては、ネットワーク環境が乏しく、ネットワーク接続を常時行うことができない場合がある。また、ネットワーク環境が整っている場合でも、開催会場の規制により、コンテンツ生成装置とイベント記録装置とを常にネットワーク接続できない場合がある。
【０００５】
このような場合には、後日、イベント記録装置から複数の画面画像とイベント情報を記憶媒体などに保存して、コンテンツ生成装置に複数の画面画像とイベント情報を移動して、コンテンツ生成装置側で作成した複数の動画データとともにコンテンツデータを手動で生成しなければならない。通常、コンテンツ生成装置とイベント記録装置とでは、時刻が正確に一致していないことが多いため、手動で、イベント記録装置から移動してきた複数の画面画像とイベント情報と、コンテンツ生成装置側で作成した動画データの時刻合わせ等の同期をとる作業が発生し、コンテンツデータの生成作業に労力を要するという問題がある。
【０００６】
本発明は、上記に鑑みてなされたものであって、ネットワークに常時接続できない環境であっても、コンテンツデータを正確かつ効率的に生成することができるコンテンツ生成装置、コンテンツ生成方法およびコンテンツ生成プログラムを提供することを目的とする。
【課題を解決するための手段】
【０００７】
上述した課題を解決し、目的を達成するために、請求項１にかかる発明は、経時的に進行する場面における複数の画面画像データと、前記画面画像に対応した場面で撮像された複数の動画データとを含むコンテンツデータを生成するコンテンツ生成装置であって、撮像手段と、前記撮像手段によって撮像された動画データを取得する取得手段と、ネットワークに接続され、前記複数の画面画像データを保持するとともに前記複数の画面画像データの操作に関するイベント情報を記録するイベント記録装置とネットワークを確立し、前記イベント記録装置に対して前記イベント記録装置の現在時刻を問い合わせ、前記イベント記録装置の現在時刻を取得する通信手段と、前記コンテンツ生成装置の現在時刻と前記通信手段によって取得した前記イベント記録装置の現在時刻とに基づいて、前記コンテンツ生成装置における撮像時間に相当する前記イベント記録装置における時間を決定する時間同期手段と、前記撮像手段による撮像終了後に、前記イベント記録装置から、前記時間同期手段によって決定された前記イベント記録装置における時間に相当する前記複数の画面画像データと前記イベント情報とを受信する受信手段と、前記取得手段によって取得した前記動画データと、前記受信手段によって受信した前記イベント記録装置における時間に相当する前記複数の画面画像データと前記イベント情報とに基づいて、前記コンテンツデータを生成する生成手段と、を備えたことを特徴とする。
【０００８】
また、請求項２にかかる発明は、前記通信手段は、前記撮像手段による撮像終了後に、前記イベント記録装置とネットワークを確立し、前記イベント記録装置に対して前記イベント記録装置の現在時刻を問い合わせ、前記イベント記録装置の現在時刻を取得することを特徴とする。
【０００９】
また、請求項３にかかる発明は、前記通信手段は、前記撮像手段による撮像開始時に、前記イベント記録装置とネットワークを確立し、前記イベント記録装置に対して前記イベント記録装置の現在時刻を問い合わせ、前記イベント記録装置の現在時刻を取得し、取得後に前記イベント記録装置とのネットワークを切断し、前記撮像手段による撮像終了後に、再度、前記イベント記録装置とのネットワークを確立することを特徴とする。
【００１０】
また、請求項４にかかる発明は、前記時間同期手段は、前記コンテンツ生成装置による前記問い合わせ時の現在時刻と前記通信手段によって取得した前記イベント記録装置の現在時刻の差から前記コンテンツ生成装置における撮像時間に相当する前記イベント記録装置における時間を決定することを特徴とする。
【００１１】
また、請求項５にかかる発明は、前記撮像手段による撮像終了後に、前記イベント記録装置における時間に相当する前記複数の画面画像データの中から利用者によって所望の前記複数の画面画像データの選択指示を受け付ける指示受付手段を、さらに備え、前記受信手段は、前記撮像手段による撮像終了後に、前記イベント記録装置から、前記指示受付手段によって選択指示を受け付けた前記複数の画面画像データと前記イベント情報とを受信することを特徴とする。
【００１２】
また、請求項６にかかる発明は、前記生成手段は、さらに、前記イベント記録装置から受信した前記複数の画面画像データの中で、前記撮像時間の開始直後の時間に相当する前記画面画像に対応するイベント情報を撮像開始時まで拡張して、前記コンテンツデータを生成することを特徴とする。
【００１３】
また、請求項７にかかる発明は、前記生成手段は、さらに、前記イベント記録装置から受信した前記複数の画面画像データの中で、前記撮像時間の終了直前の時間に相当する前記画面画像に対応するイベント情報を撮像終了時まで拡張して、前記コンテンツデータを生成することを特徴とする。
【００１４】
また、請求項８にかかる発明は、前記時間同期手段は、前記コンテンツ生成装置による前記問い合わせ時の現在時刻と前記通信手段によって取得した前記イベント記録装置の現在時刻の受信時刻とからネットワーク遅延時間を求め、前記コンテンツ生成装置による前記問い合わせ時の現在時刻と前記通信手段によって取得した前記イベント記録装置の現在時刻の差から前記ネットワーク遅延時間を差し引いて、前記コンテンツ生成装置における撮像時間に相当する前記イベント記録装置における時間を決定することを特徴とする。
【００１５】
また、請求項９にかかる発明は、経時的に進行する場面における複数の画面画像データと、前記画面画像に対応した場面で撮像された複数の動画データとを含むコンテンツデータを生成するコンテンツ生成装置において実行されるコンテンツ生成方法であって、撮像手段によって撮像された動画データを取得する取得ステップと、ネットワークに接続され、前記複数の画面画像データを保持するとともに前記複数の画面画像データの操作に関するイベント情報を記録するイベント記録装置とネットワークを確立し、前記イベント記録装置に対して前記イベント記録装置の現在時刻を問い合わせ、前記イベント記録装置の現在時刻を取得する通信ステップと、前記コンテンツ生成装置の現在時刻と前記通信ステップによって取得した前記イベント記録装置の現在時刻とに基づいて、前記コンテンツ生成装置における撮像時間に相当する前記イベント記録装置における時間を決定する時間同期ステップと、前記撮像手段による撮像終了後に、前記イベント記録装置から、前記時間同期ステップによって決定された前記イベント記録装置における時間に相当する前記複数の画面画像データと前記イベント情報とを受信する受信ステップと、前記取得ステップによって取得した前記動画データと、前記受信ステップによって受信した前記イベント記録装置における時間に相当する前記複数の画面画像データと前記イベント情報とに基づいて、前記コンテンツデータを生成する生成ステップと、を含むことを特徴とする。
【００１６】
また、請求項１０にかかる発明は、経時的に進行する場面における複数の画面画像データと、前記画面画像に対応した場面で撮像された複数の動画データとを含むコンテンツデータを生成するコンピュータにおいて実行されるコンテンツ生成プログラムであって、撮像手段によって撮像された動画データを取得する取得ステップと、ネットワークに接続され、前記複数の画面画像データを保持するとともに前記複数の画面画像データの操作に関するイベント情報を記録するイベント記録装置とネットワークを確立し、前記イベント記録装置に対して前記イベント記録装置の現在時刻を問い合わせ、前記イベント記録装置の現在時刻を取得する通信ステップと、前記コンピュータの現在時刻と前記通信ステップによって取得した前記イベント記録装置の現在時刻とに基づいて、前記コンピュータにおける撮像時間に相当する前記イベント記録装置における時間を決定する時間同期ステップと、前記撮像手段による撮像終了後に、前記イベント記録装置から、前記時間同期ステップによって決定された前記イベント記録装置における時間に相当する前記複数の画面画像データと前記イベント情報とを受信する受信ステップと、前記取得ステップによって取得した前記動画データと、前記受信ステップによって受信した前記イベント記録装置における時間に相当する前記複数の画面画像データと前記イベント情報とに基づいて、前記コンテンツデータを生成する生成ステップと、をコンピュータに実行させることを特徴とする。
【発明の効果】
【００１７】
請求項１、９および１０にかかる発明によれば、イベント記録装置とネットワークを確立し、イベント記録装置に対してイベント記録装置の現在時刻を問い合わせ、イベント記録装置の現在時刻を取得し、コンテンツ生成装置の現在時刻と通信手段によって取得したイベント記録装置の現在時刻とに基づいて、コンテンツ生成装置における撮像時間に相当するイベント記録装置における時間を決定し、撮像終了後に、イベント記録装置から、時間同期手段によって決定されたイベント記録装置における時間に相当する複数の画面画像データとイベント情報とを受信し、取得した動画データと、受信したイベント記録装置における時間に相当する複数の画面画像データとイベント情報とに基づいて、コンテンツデータを生成することで、開催会場がネットワークに常時接続できない環境であっても、コンテンツデータを正確かつ効率的に生成することができるという効果を奏する。
【００１８】
また、請求項２にかかる発明によれば、撮像終了後に、イベント記録装置とネットワークを確立し、イベント記録装置に対してイベント記録装置の現在時刻を問い合わせ、イベント記録装置の現在時刻を取得することで、開催会場が全くネットワーク接続ができない環境であっても、撮影終了後に、動画データと画面画像データとイベント情報とから同期をとってコンテンツ生成を行え、コンテンツデータを正確かつ効率的に生成することができるという効果を奏する。
【００１９】
また、請求項３にかかる発明によれば、撮像開始時に、イベント記録装置とネットワークを確立し、イベント記録装置に対してイベント記録装置の現在時刻を問い合わせ、イベント記録装置の現在時刻を取得し、取得後にイベント記録装置とのネットワークを切断し、撮像手段による撮像終了後に、再度、イベント記録装置とのネットワークを確立することで、開催会場がネットワークの常時接続ができない環境であっても、撮影終了後に、動画データと画面画像データとイベント情報とから同期をとって、コンテンツデータを正確かつ効率的に生成することができるという効果を奏する。
【００２０】
また、請求項４にかかる発明によれば、コンテンツ生成装置による問い合わせ時の現在時刻と通信手段によって取得したイベント記録装置の現在時刻の差からコンテンツ生成装置における撮像時間に相当するイベント記録装置における時間を決定することで、コンテンツ生成装置とイベント記録装置とが常時接続ができないネットワーク環境の開催会場であっても、短時間のネットワーク接続によりコンテンツ生成装置とイベント記録装置との時刻の同期調整を行って、コンテンツデータを正確かつ効率的に生成することができるという効果を奏する。
【００２１】
また、請求項５にかかる発明によれば、撮像終了後に、イベント記録装置から、指示受付手段によって選択指示を受け付けた複数の画面画像データとイベント情報とを受信することで、利用者の所望の画面画像データとイベント情報を選択してコンテンツ生成を行うことができ、コンテンツデータに不要な画面画像データとイベント情報が含まれてしまうことを防止することができるという効果を奏する。
【００２２】
また、請求項６にかかる発明によれば、イベント記録装置から受信した複数の画面画像データの中で、撮像時間の開始直後の時間に相当する画面画像に対応するイベント情報を撮像開始時まで拡張して、コンテンツデータを生成することで、撮像開始時の動画データの撮像時間に一致した画面画像データの再生を行うことができるという効果を奏する。
【００２３】
また、請求項７にかかる発明によれば、イベント記録装置から受信した複数の画面画像データの中で、撮像時間の終了直前の時間に相当する画面画像に対応するイベント情報を撮像終了時まで拡張して、コンテンツデータを生成することで、撮像終了時の動画データの撮像時間に一致した画面画像データの再生を行うことができるという効果を奏する。
【００２４】
また、請求項８にかかる発明によれば、コンテンツ生成装置による問い合わせ時の現在時刻と通信手段によって取得したイベント記録装置の現在時刻の受信時刻とからネットワーク遅延時間を求め、コンテンツ生成装置による問い合わせ時の現在時刻と通信手段によって取得したイベント記録装置の現在時刻の差からネットワーク遅延時間を差し引いて、コンテンツ生成装置における撮像時間に相当するイベント記録装置における時間を決定することで、ネットワークの遅延時間を考慮して、コンテンツ生成装置とイベント記録装置との時刻の同期調整を行うことができ、コンテンツデータをより正確かつ効率的に生成することができるという効果を奏する。
【発明を実施するための最良の形態】
【００２５】
以下に添付図面を参照して、この発明にかかるコンテンツ生成装置、コンテンツ生成方法およびコンテンツ生成プログラムの最良な実施の形態を詳細に説明する。
【００２６】
（実施の形態１）
図１は、実施の形態１にかかるコンテンツ生成装置５を含むコンテンツ生成システム１の全体構成を示す模式図である。
【００２７】
コンテンツ生成システム１は、プレゼンテーション資料３１ａを格納し、プレゼンテーション資料の操作のイベントを記録するイベント記録装置２と、このイベント記録装置２と接続し、プレゼンテーション資料３１ａを表示するプロジェクター等の投影機３と、投影機３により投影された画像を表示する表示画面３０と、プレゼンテーションの状況を音声と共に動画撮影する音声取り込み機能付きのＤＶカメラ４と、ＤＶカメラ４が取り込んだ音声を含む動画データ（以下単に「動画データ」という）からコンテンツを生成、編集するコンテンツ生成装置５とを備えている。
【００２８】
ＤＶカメラ４とコンテンツ生成装置５は、例えば、ＩＥＥＥ１３９４などのインターフェイスで接続されている。また、イベント記録装置２とコンテンツ生成装置５は、ＩＥＥＥ８０２．１１ｂなどの通信インターフェイスで接続可能となっている。なお、無線通信環境がない場合は、通常のイーサネット（登録商標）によるピア・ツー・ピア接続であってもよい。
【００２９】
本実施の形態では、イベント記録装置２とコンテンツ生成装置５は、常時ネットワーク接続されておらず、プレゼンテーションを行っている間は、コンテンツ生成装置５側でＤＶカメラによる撮像を行って動画データを取得し、一方、イベント記録装置２側では、コンテンツ生成装置５とは別個にプレゼンターのプレゼンテーション資料３１ａの操作をイベント情報として記録している。そして、プレゼンテーションの終了後、すなわち、ＤＶカメラ４による撮像の終了後に、イベント記録装置２とコンテンツ生成装置５とをネットワークで接続し、コンテンツ生成装置５で取得した動画データと、イベント記録装置２に保存されているプレゼンテーション資料３１ａと記録したイベント情報３１ｂとからコンテンツ生成装置５側で後述するコンテンツ生成処理を行うようになっている。このような構成を採用したのは、プレゼンテーション開催会場が、ネットワークを常時接続できない環境である場合に、正確かつ効率的にコンテンツファイルを生成することを可能にするためである。
【００３０】
イベント記録装置２は、プレゼンテーション資料３１ａと記録したイベントをイベント情報３１ｂとして格納しており、投影機３と通信可能であればよく、例えば、プレゼンターの所有するＰＣであってもよい。
【００３１】
編集者は、プレゼンターがプレゼンテーション資料３１ａを表示画面３０に表示させながらプレゼンテーションを行っている様子を、ＤＶカメラ４を用いて撮影する。ここで、編集者とは、コンテンツ生成システム１を利用して動画を編集する者のことである。
【００３２】
撮影が終了すると、コンテンツ生成装置５は、イベント記録装置２からプレゼンテーション資料３１ａとイベント記録装置２で記録されたイベント情報を取得する。そして、コンテンツ生成装置５は、動画データを編集して、動画データにプレゼンテーション資料３１ａを対応付けたコンテンツファイルを生成する。このコンテンツファイルは、コンテンツ生成装置２において再生する他、利用者からの要求に応じてコンテンツファイルを提供することが可能である。
【００３３】
図２は、本実施の形態にかかるコンテンツ生成システム１に特徴的な処理を行うコンテンツ生成装置５のコンテンツ編集部３５と、イベント記録装置２のイベント処理部３２の機能構成を示すブロック図である。
【００３４】
イベント記録装置２のイベント処理部３２は、イベント記録装置２に接続されたキーボード２１やマウス１５からの入力により、プレゼンテーションに関するイベントを示すイベント情報を取得するイベントキャプチャ部３３と、イベントキャプチャ部３３が取得したイベント情報を記録するイベント記録部３４と、イベント情報およびプレゼンテーション資料３１ａをコンテンツ生成装置５に送信する送信部４５と、コンテンツ生成装置５と通信の確立を行うとともに、コンテンツ生成装置５からの要求に応じて現在時刻を応答送信する通信部４４とを有している。また、プレゼンテーション資料３１ａと生成されたイベント情報３１ｂは、ハードディスクドライブ装置（ＨＤＤ）３１等の記憶媒体に格納されている。
【００３５】
コンテンツ生成装置５のコンテンツ編集部３５は、イベント記録装置２とネットワークの確立を行うとともに、イベント記録装置２に対して現在時刻の問い合わせを行ってイベント記録装置２における現在時刻を取得する通信部３６と、コンテンツ生成装置５の現在時刻とイベント記録装置２の現在時刻とから両装置における撮像時間の同期をとる時間同期部４８と、イベント記録装置２の送信部４５からイベント情報およびプレゼンテーション資料３１ａを受け取る受信部３７と、受信部３７が受け取ったイベント情報の制御、イベント情報の記録、イベント情報の内容を解釈等を行うイベント処理部４２と、イベント処理部４２によって解釈されたイベント情報に基づいて動画データを編集し、動画データとプレゼンテーション資料３１ａの画面画像データとからコンテンツファイルを生成してハードディスクドライブ装置（ＨＤＤ）３１等の記憶媒体５２に格納するコンテンツファイル生成部４３と、利用者等からの指示を受け付ける指示受付部５４と、利用者からの要求を受けてコンテンツファイルを外部に送信する通信部５０と、ＤＶカメラ４が取り込んだ動画データをキャプチャする動画キャプチャ部４０と、動画データを管理する動画管理部４１と、ＤＶカメラ４を制御する撮影機器制御部３９と、ＨＤＤ５２からコンテンツファイル５２ａを読み出してディスプレイ装置などの表示装置（図示せず）に対する表示制御を行う表示制御部５３とを備えている。
【００３６】
コンテンツ生成装置５の時間同期部４８は、コンテンツ生成装置５の現在時刻と通信部３６によって取得したイベント記録装置２の現在時刻とから、コンテンツ生成装置５における撮像時間に相当するイベント記録装置２における時間を決定する。具体的には、通信部３６によるイベント記録装置２に対する現在時刻の問い合わせ送信時の現在時刻と、通信部３６がイベント記録装置２から受信したイベント記録装置２の現在時刻の時間差からコンテンツ生成装置５における撮像時間に相当するイベント記録装置２における時間を決定する。例えば、コンテンツ生成装置５の現在時刻とイベント記録装置２の現在時刻に１０分の時間差があり、コンテンツ撮影時間が１０：００〜１１：００の場合には、イベント記録装置２側での当該撮影時間に相当する時間は１０：１０〜１１：１０であると決定する。
【００３７】
コンテンツ生成装置５の受信部３７は、時間同期部４８で決定されたイベント記録装置２側での当該撮影時間に相当する時間内に表示されたプレゼンテーション資料３１ａの画面画像データとイベント情報３１ｂをイベント記録装置２に要求して、当該画面画像データとイベント情報３１ｂとを受信する。具体的には、イベント記録装置２側での撮影時間に相当する時間に含まれる画面画像データのリストを要求し、利用者によって指定された画面画像データと当該画面画像データに対応するイベント情報３１ｂをイベント記録装置２に要求して受信する。
【００３８】
ここで、コンテンツファイル５２ａは、プレゼンテーション資料３１ａにおける経時的に進行する場面における複数のスライド等の画面画像データと、画面画像データに対応した場面で撮像された複数の動画データとをイベント情報により同期をとって生成されたものである。このコンテンツファイル５２ａは、動画データの再生と同期して複数の画面画像データを順次表示することが可能となっている。
【００３９】
次に、プレゼンテーション資料３１ａについて説明する。図３は、プレゼンテーション資料３１ａについて説明するための模式図である。プレゼンテーション資料３１ａは、プレゼンテーションの際に表示画面３０に表示すべきスライド等の画面画像データ３１０，３１２，３１４，３１６，３１８，３２０を含んでいる。画面画像データ３１０，３１２，３１４，３１６，３１８，３２０は、経時的に進行する場面における一連のスライド等であり、各画面画像データ３１０，３１２，３１４，３１６，３１８，３２０には、ページ番号が対応付けられており、ページ番号順に順次表示される。すなわち、プレゼンテーション資料３１ａを構成する画面画像データは、当該プレゼンテーション資料３１ａの作成者が定めた順番に配列されている。図３に示すプレゼンテーション資料３１ａは、６ページ分の画面画像を含んでいる。これらは、プレゼンターからの指示により、１ページ、２ページ、・・・とページ順に表示される。なお、本実施の形態におけるプレゼンテーション資料３１ａは、Ｍｉｃｒｏｓｏｆｔ（登録商標）社製のＰｏｗｅｒＰｏｉｎｔ（登録商標）のファイルである。
【００４０】
次に、イベント情報について説明する。イベント情報とは、プレゼンテーションにおけるプレゼンターのプレゼンテーション資料３１ａの表示に関する各種操作によって発生したイベントと、イベントが示す操作内容と、イベントが発生した時刻（すなわち、操作を行った時刻）とを時系列に対応付けたデータである。通常、プレゼンテーションにおいて、プレゼンターは、以下の操作を行う。
【００４１】
１．イベント記録装置２の起動
２．プレゼンテーション・ソフトの起動
３．発表の開始
４．キーボード２１又はマウス１５の操作による、プレゼンテーション資料３１ａのページめくり
５．発表の終了
６．プレゼンテーション・ソフトの終了
７．イベント記録装置２の終了
【００４２】
ここで、ページめくりとは、表示画面３０に表示させる、プレゼンテーション資料３１ａを１ページから次のページすなわち２ページに切り替えることである。
【００４３】
以上の操作は、いずれもイベント記録装置２のマウス１５またはキーボード２１における所定の操作に対応付けられている。例えば、イベント記録装置２の表示画面に表示されたプレゼンテーション・ソフトのアイコンをマウス１５によりクリックする操作は、プレゼンテーション・ソフトの起動というイベントに対応付けられている。
【００４４】
イベント記録装置２のイベント記録部３４は、このイベント情報のログを記録してＨＤＤ３１に保存する。そして、プレゼンテーション終了後（ＤＶカメラ４によるプレゼンテーションの撮像終了後）に、コンテンツ生成装置５とネットワーク接続の確立して、コンテンツ生成装置５から要求があった場合に、送信部４５によって通信インターフェイスを介してイベント情報３１ｂをプレゼンテーション資料３１ａの複数の画面画像データとともにコンテンツ生成装置５のコンテンツ編集部３５に送信する。
【００４５】
図４は、イベント情報３１ｂのデータの内容を示す説明図である。イベント情報３１ｂには、イベントが、各イベントの発生した順番に配列されている。イベントには、発生したイベントの種類およびカウンタ値、および画面画像（スライド）のファイル名、イベントの発生時刻が含まれている。カウンタ値は、ＣＰＵやメモリを利用して、ある単位で値が一つずつ加算されるカウンタを用意する。このカウンタは、プレゼンテーションの発表開始と同時、一例として、プレゼンテーション・ソフトウェアの起動時に指定値（通常は０値）にリセットする。例えばページ２が表示されると、「ページ２に切り替え」というイベント情報が記録される。これにより、各ページの表示を開始したカウンタ値および表示を終了したカウンタ値を認識することができる。
【００４６】
次に、コンテンツ生成装置５のコンテンツ生成部４３の詳細について説明する。図５は、コンテンツ生成部４３の機能的構成を示すブロック図である。コンテンツ生成部４３は、図５に示すように、区間決定部４３０と、区間調整部４３１と、同期部４３３と、対応付け部４３５と、生成部４３８とを有している。なお、以下に示すコンテンツ生成部４３の各部の処理は、いずれもプレゼンテーションの終了後に、プレゼンテーション資料３１ａの画面画像データとイベント情報３１ｂとをイベント記録装置２から受信してから行う。
【００４７】
区間決定部４３０は、ＤＶカメラ４から取得した動画データを、イベント記録装置２から取得したイベント情報３１ｂに基づいて、複数の区間に分割する。具体的には、区間決定部４３０は、ページめくりを示すイベント情報が示すカウンタ値のときに録画されたフレーム位置を動画データの区間の境界位置として決定する。すなわち、一のページが表示されている区間は、同一区間となり、ページが切り替わるタイミングが、区間の境界に対応する。
【００４８】
区間調整部４３１は、区間決定部４３０が分割した区間の長さを調整する。具体的には、区間決定部４３０により決定された区間の長さが、予め定められた規定長に比べて短い場合に、この規定長よりも短い区間、すなわち規定長外区間を、当該規定長区間の直前または直後の区間に統合する。ここで、規定長は、変更可能である。例えば、指示受付部５４を介して編集者等から指定された長さに定められてもよい。
【００４９】
同期部４３３は、イベント情報に基づいて、動画データとプレゼンテーション資料３１ａの画面画像データとの同期を取る。すなわち、動画データの各区間を表示させるときに同時に表示させるべきプレゼンテーション資料３１ａの一のページを、各区間に対応付ける。ここで、画面画像データとイベント情報は、受信部３７によって、コンテンツ生成装置５の撮影時間に相当するイベント記録装置２の時間に該当するものとして受信した画面画像データ、イベント情報を用いる。
【００５０】
同期調整部４３６は、動画データの規定外区間に対して、同期部４３３が同期させたプレゼンテーション資料３１ａのページにかえて、規定外区間の統合先の区間に同期されたページを同期させる。
【００５１】
対応付部４３５は、プレゼンテーション資料３１ａを構成する各画面画像データの縮小画像を生成して、生成された縮小画像をひとまとめにしたサムネイル画像を生成し、また、プレゼンテーション資料３１ａから、動画データの目次の項目となるべき文字情報を抽出して、目次項目とサムネイル画像の各縮小画像を、プレゼンテーション資料３１ａの各ページの画面画像に対応付ける。
【００５２】
生成部４３８は、同期部４３３および同期調整部動画データと画面画像データからコンテンツファイルを生成する。このとき、生成部４３８は、対応付部４３５によって対応付けられた目次項目、サムネイル画像の縮小画像、画面画像データとから複数の異なる形式の目次情報を生成し、コンテンツファイル５２ａに記録する。
【００５３】
また、生成部４３８は、コンテンツ生成の際に、複数の画面画像データの中で、撮像時間の開始直後の時間に相当する画面画像データに対応するイベント情報を撮像開始時まで拡張し、複数の画面画像データの中で、撮像時間の終了直前の時間に相当する画面画像に対応するイベント情報を撮像終了時まで拡張して、コンテンツファイル５２ａを生成する。
【００５４】
次に、以上のように構成された本実施の形態にかかるコンテンツ生成システム１によるコンテンツ生成処理について説明する。図６は、実施の形態１にかかるコンテンツ生成システム１によるコンテンツ生成処理の全体の流れを示すシーケンス図である。
【００５５】
プレゼンテーションが行われている間は、コンテンツ生成装置５とイベント記録装置２はネットワークで接続されていない。このため、コンテンツ生成装置５側での撮影と、イベント記録装置２側でイベント記録は別個に行われる。
【００５６】
そして、プレゼンテーションが終了し、ＤＶカメラ４により撮像が終了したら、任意の時間に、コンテンツ生成装置５とイベント記録装置２はネットワーク接続を確立する（ステップＳ６０１）。ここで、ネットワーク接続を確立する時間としては、撮影終了直後でも、撮影終了後一定時間経過した後でもいずれでもよい。
【００５７】
そして、コンテンツ生成装置５は、イベント記録装置２に対して現在時刻の問い合わせを送信する（ステップＳ６０２）。現在時刻の問い合わせを受けたイベント記録装置２は、現在時刻を取得してコンテンツ生成装置５に応答送信する（ステップＳ６０３）。そして、コンテンツ生成装置５は、自装置の現在時刻と取得したイベント記録装置２の現在時刻から、コンテンツ生成装置５とイベント記録装置２の撮影時間の同期をとる同期処理を行う（ステップＳ６０４）。これにより、コンテンツ生成装置５側での撮像時間に相当するイベント記録装置２における時間が決定される。
【００５８】
次いで、コンテンツ生成装置５は、イベント記録装置２に対して、撮像時間に相当するイベント記録装置２における時間に該当する画面画像データのリストを要求し（ステップＳ６０５）、イベント記録装置２は、かかるリスト要求を受けて、コンテンツ生成装置５側での撮像時間に相当するイベン時間に該当する画面画像データのリストをコンテンツ生成装置５に送信する（ステップＳ６０６）。
【００５９】
画面画像データのリストを受信したコンテンツ生成装置５では、当該リストから利用者によって所望の画面画像データを選択して選択された画面画像データの要求をイベント記録装置２に対して送信する（ステップＳ６０７）。画面画像データの要求を受けたイベント記録装置２は、要求された画面画像データを対応するイベント情報とともにコンテンツ生成装置５に送信する（ステップＳ６０８）。コンテンツ生成装置５では、撮像した動画データとイベント記録装置２から受信した画面画像データおよびイベント情報ととからコンテンツファイル５２ａを生成する（ステップＳ６０９）。
【００６０】
次に、上述した撮影終了後およびイベント記録終了後におけるコンテンツ生成装置５におけるコンテンツ生成処理の詳細について説明する。図７は、実施の形態１にかかるコンテンツ生成装置５におけるコンテンツ生成処理の手順を示すフローチャートである。
【００６１】
プレゼンテーションが終了して撮像が終了すると、コンテンツ生成装置５の通信部３６は、イベント記録装置２との間でネットワークの接続を確立する（ステップＳ７０１）。具体的には、コンテンツ生成装置５側では、表示制御部５３によって、図８−１に示すネットワーク接続画面を表示装置に表示し、利用者に対して当該ネットワーク接続画面から接続相手のイベント記録装置２のＩＰアドレスを入力させる。利用者がネットワーク接続画面からイベント記録装置２のＩＰアドレスを入力した場合には、入力されたＩＰアドレスを指示受付部５４で受け取って、通信部３６は、指定されたＩＰアドレスに接続要求を送信することによりイベント記録装置２とのネットワーク接続が行われる。一方、イベント記録装置２では、図８−２に示すネットワーク接続画面によって接続相手のコンテンツ生成装置５とのネットワークを接続する。
【００６２】
コンテンツ生成装置５とイベント記録装置２とのネットワーク接続が確立した場合には、通信部３６は、イベント記録装置２に対して現在時刻の問い合わせを送信する（ステップＳ７０２）。この時、時間同期部４８では、問い合わせ時の現在時刻をメモリ等に記憶して保持しておく。そして、イベント記録装置２から現在時刻の応答が送信されてきた場合には、通信部３６で応答受信する（ステップＳ７０３）。
【００６３】
次に、時間同期部４８によって、コンテンツ生成装置５の現在時刻とイベント記録装置２から受信した現在時刻との時間差を求め、この時間差を両装置のずれ時間と決定する（ステップＳ７０４）。そして、時間同期部４８は、コンテンツ生成装置５側の撮像開始時刻、撮像終了時刻に、ずれ時間を反映した時間を、撮像時間に相当するイベント記録装置２側での撮像時間と決定する（ステップＳ７０５）。
【００６４】
次いで、受信部３７は、イベント記録装置２側での撮像時間内に該当する画面画像データのリスト（画面画像リスト）の要求を送信し（ステップＳ７０６）、イベント記録装置２から送信されてきた画面画像リストを受信する（ステップＳ７０７）。
【００６５】
次に、表示制御部５３は、受信した画面画像リストの画面を表示装置に表示し（ステップＳ７０８）、利用者に画面画像リストの中から所望の画面画像データの選択を行わせる。図９は、画面画像リストの画面の一例を示す模式図である。図９に示すように、画面画像データの名称と、当該画面画像が表示された時間とが対応付けられて表示されている。
【００６６】
この画面画像リスト画面から利用者によって画面画像データの選択が行われた場合には、当該選択を指示受付部５４で受け付け、選択された画面画像データの要求をイベント記録装置２に送信する（ステップＳ７０９）。
【００６７】
イベント記録装置２から要求した画面画像データと対応するイベント情報３１ｂが送信されてきたら、受信部３７で受信する（ステップＳ７１０）。そして、コンテンツ生成部４３によって、動画キャプチャ部４０で取得した動画データとイベント記録装置２から受信した画面画像データおよびイベント情報ととからコンテンツファイル５２ａを生成する（ステップＳ７１１）。
【００６８】
次に、以上のようなコンテンツ生成処理の例について説明する。図１０および図１１は、コンテンツ生成の具体例を説明するための説明図である。図１０に示すように、コンテンツ生成装置５側での撮影時間が１０：００〜１１：００であった場合を考える。ステップＳ７０３によってイベント記録装置２から受信した現在時刻が１５：０８で、コンテンツ生成装置５の現在時刻１５：００より８分進んでいる場合には、時間同期部４８は、ステップＳ７０４，Ｓ７０５で、この８分の時間差をずれ時間として、図１０に示すように、撮影時間に相当するイベント記録装置２側の時間は、１０：０８〜１１：０８であると決定する。そして、受信部３７は、ステップＳ７０６で、この時間１０：０８〜１１：０８に相当する画面画像データのリストを要求する。
【００６９】
ここで、図１０の例では、イベント記録装置２側の１０：０８〜１１：０８に一部でも表示された画面画像データは、スライド１からスライドｎ＋４である。このため、ステップＳ７０８において、画面画像リストには、これらのスライド１からスライドｎ＋４の画面画像データの名称と時間が表示されることになる。
【００７０】
ここで、利用者は、画面画像リストにおいて、１０：０８〜１１：０８内に完全に含まれる画面画像データ、すなわち、スライド２〜スライドｎ＋３を選択し、スライド２〜スライドｎ＋３の画面画像データと夫々に対応するイベント情報をイベント記録装置２から受信したものとする。
【００７１】
この場合、コンテンツ生成部４３の生成部４３では、コンテンツファイル５２ａの生成の際に、図１１に示すように、撮像時間の開始直後の時間に相当する画面画像データ（スライド２）に対応するイベント情報を撮像開始時まで拡張する。また、生成部４３８は、撮像時間の終了直前の時間に相当する画面画像データ（スライドｎ＋３）に対応するイベント情報を撮像終了時まで拡張する。これによって、撮像開始時および撮像終了時の動画データの撮像時間にそれぞれ一致した画面画像データの再生を行うことができる。
【００７２】
以上のようなコンテンツ生成処理により生成されたコンテンツファイル５２ａの概要について説明する。図１２は、コンテンツ編集部３５が生成したコンテンツファイル５２ａの一例を示す説明図である。コンテンツファイル５２ａは、動画データ１２００と、動画データの各区間１２１０に対応付けられた複数の画面画像データ３１０,３１２・・・と目次情報を有している。なお、動画データの各区間１２１０は、複数のフレーム１２２０を含んでいる。各区間１２１０の長さは、イベント情報により決定される。このように、動画データｈａ、プレゼンテーション資料３１ａの各画面画像データ３１０，３１２・・・と対応付けられているので、動画データとプレゼンテーション資料３１ａの各画面画像データ３１０，３１２・・・とを同期して表示させることができる。
【００７３】
このように実施の形態１にかかるコンテンツ生成装置５では、プレゼンテーションが終了した撮像終了後に、イベント記録装置２とネットワークを確立し、イベント記録装置２に対してイベント記録装置２の現在時刻を問い合わせて取得し、コンテンツ生成装置５の現在時刻と取得したイベント記録装置２の現在時刻との時間差から、コンテンツ生成装置５における撮像時間に相当するイベント記録装置２における時間を決定し、撮像終了後に、イベント記録装置から、当該時間に相当する複数の画面画像データとイベント情報とを受信し、撮像した動画データと、受信したイベント記録装置２における時間に相当する複数の画面画像データとイベント情報とからコンテンツデータ５２ａを生成しているので、、開催会場がネットワークに常時接続できない環境であっても、コンテンツデータを正確かつ効率的に生成することができる。
【００７４】
（実施の形態２）
実施の形態１にかかるコンテンツ生成装置５では、コンテンツ生成装置５の現在時刻とイベント記録装置２の現在時刻の時間差をそのまま撮影時間に反映して、イベント記録装置２側での撮影時間に相当する時間を決定していたが、この実施の形態２にかかるコンテンツ生成装置５は、さらにネットワークによる遅延時間を考慮して、イベント記録装置２側での撮影時間に相当する時間を決定するものである。
【００７５】
実施の形態２にかかるコンテンツ生成装置５およびイベント記録装置２の構成、コンテンツファイル５２ａ、イベント情報、プレゼンテーション資料３１ａの構造は、実施の形態１と同様である。また、コンテンツ生成処理の全体の流れについても、図６で説明したシーケンス図の流れと同様に行われる。
【００７６】
本実施の形態のコンテンツ生成装置５では、時間同期部４８によって、通信部３６による問い合わせ時の現在時刻と通信部３６で取得したイベント記録装置２の現在時刻の受信時刻の時間差の１／２の時間をネットワークによる片道の通信時間であるネットワーク遅延時間として求める。また、時間同期部４８は、通信部３６による問い合わせ時の現在時刻と通信部３６によって取得したイベント記録装置２の現在時刻の時間差からネットワーク遅延時間を差し引いた時間を、コンテンツ生成装置５とイベント記録装置２の実際のずれ時間として、コンテンツ生成装置５における撮像時間にこのずれ時間を反映した時間を、イベント記録装置２における撮影時間と決定する。そして、受信部３７によって、この決定された時間に該当する画面画像データのリストをイベント記録装置２に要求して、画面画像リストを受信している。
【００７７】
次に、このような実施の形態２にかかるコンテンツ生成装置５において、撮影終了後およびイベント記録終了後におけるコンテンツ生成処理の詳細について説明する。図１３は、実施の形態２にかかるコンテンツ生成装置５におけるコンテンツ生成処理の手順を示すフローチャートである。
【００７８】
プレゼンテーションが終了して撮像が終了すると、コンテンツ生成装置５の通信部３６は、実施の形態１と同様に、イベント記録装置２との間でネットワークの接続を確立する（ステップＳ１３０１）。
【００７９】
コンテンツ生成装置５とイベント記録装置２とのネットワーク接続が確立した場合には、通信部３６は、イベント記録装置２に対して現在時刻の問い合わせを送信する（ステップＳ１３０２）。この時、時間同期部４８では、問い合わせ時の現在時刻をメモリ等に記憶して保持しておく。そして、イベント記録装置２から現在時刻の応答が送信されてきた場合には、通信部３６で応答受信する（ステップＳ１３０３）。
【００８０】
次に、時間同期部４８は、メモリ等に保持していた問い合わせ時の現在時刻と通信部３６で取得したイベント記録装置２の現在時刻の受信時刻の時間差の１／２の時間を求めてネットワーク遅延時間とする（ステップＳ１３０４）。そして、時間同期部４８は、通信部３６による問い合わせ時の現在時刻と通信部３６によって取得したイベント記録装置２の現在時刻の時間差からネットワーク遅延時間を差し引いた時間を、コンテンツ生成装置５とイベント記録装置２の実際のずれ時間とし（ステップＳ１３０５）、コンテンツ生成装置５の撮像開始時刻、撮像終了時刻に当該実際のずれ時間を反映して、イベント記録装置２における撮影時間を決定する（ステップＳ１３０６）。
【００８１】
そして、受信部３７は、イベント記録装置２側での撮像時間内に該当する画面画像データのリスト（画面画像リスト）の要求を送信する（ステップＳ１３０７）。これ以降の処理（ステップＳ１３０８〜Ｓ１３１２）については、実施の形態１におけるコンテンツ生成処理（ステップＳ７０７〜Ｓ７１１）と同様に行われる。
【００８２】
このように実施の形態２にかかるコンテンツ生成装置５では、コンテンツ生成装置５による問い合わせ時の現在時刻とイベント記録装置２から受信したイベント記録装置２の現在時刻の受信時刻とからネットワーク遅延時間を求め、コンテンツ生成装置５による問い合わせ時の現在時刻と取得したイベント記録装置２の現在時刻の時間差からネットワーク遅延時間を差し引いて、コンテンツ生成装置５における撮像時間に相当するイベント記録装置２における時間を決定することで、ネットワークの遅延時間を考慮して、コンテンツ生成装置５とイベント記録装置２との時刻の同期調整を行うことができ、コンテンツファイル５２ａをより正確かつ効率的に生成することができる。
【００８３】
（実施の形態３）
実施の形態１および２にかかるコンテンツ生成装置５では、プレゼンテーションを行っている間は、イベント記録装置２とのネットワーク接続を行わず、プレゼンテーションが終了して撮像終了後にネットワーク接続を確立してコンテンツ生成を行っていた。しかし、この実施の形態３にかかるコンテンツ生成装置５では、プレゼンテーションが開始されて撮像を開始した後にイベント記録装置２とのネットワークを接続して、両装置の時間同期を行ってネットワークを切断し、撮像終了後に再度ネットワーク接続を確立してコンテンツ生成を行っている。
【００８４】
実施の形態３にかかるコンテンツ生成装置５およびイベント記録装置２の構成、コンテンツファイル５２ａ、イベント情報、プレゼンテーション資料３１ａの構造は、実施の形態１と同様である。
【００８５】
本実施の形態３では、コンテンツ生成装置５の通信部３６がＤＶカメラ４による撮影開始後にイベント記録装置２とのネットワーク接続を確立して、現在時刻の問い合わせを行っている。
【００８６】
次に、以上のように構成された本実施の形態にかかるコンテンツ生成システム１によるコンテンツ生成処理について説明する。図１４は、実施の形態３にかかるコンテンツ生成システム１によるコンテンツ生成処理の全体の流れを示すシーケンス図である。
【００８７】
プレゼンテーションが開始され、撮像が開始されると、コンテンツ生成装置５とイベント記録装置２はネットワーク接続を確立する（ステップＳ１４０１）。そして、コンテンツ生成装置５の通信部３６は、イベント記録装置２に対して現在時刻の問い合わせを送信する（ステップＳ１４０２）。現在時刻の問い合わせを受けたイベント記録装置２は、現在時刻を取得してコンテンツ生成装置５に応答送信する（ステップＳ１４０３）。コンテンツ生成装置５では、問い合わせ送信時の現在時刻と受信したイベント記録装置２の現在時刻とをメモリ等の記憶手段に保持しておく。
【００８８】
この後、通信部３６は、イベント記録装置２とのネットワーク接続を切断する。そして、以後、プレゼンテーションが行われている間は、コンテンツ生成装置５とイベント記録装置２はネットワークで接続されてない。このため、コンテンツ生成装置５側での撮影と、イベント記録装置２側でイベント記録は別個に行われる。
【００８９】
そして、プレゼンテーションが終了し、ＤＶカメラ４により撮像が終了したら、任意の時間に、コンテンツ生成装置５とイベント記録装置２はネットワーク接続を確立する（ステップＳ１４０４）。ここで、ネットワーク接続を確立する時間としては、撮影終了直後でも、撮影終了後一定時間経過した後でもいずれでもよい。
【００９０】
そして、コンテンツ生成装置５の時間同期部４８は、メモリ等に保持していた自装置の現在時刻と取得したイベント記録装置２の現在時刻から、コンテンツ生成装置５とイベント記録装置２の撮影時間の同期をとる同期処理を行う（ステップＳ１４０５）。これにより、コンテンツ生成装置５側での撮像時間に相当するイベント記録装置２における時間が決定される。ここで、時間同期の処理については、実施の形態１と同様に行われる。あるいは、実施の形態２と同様に、ネットワーク遅延時間を考慮して、撮像時間に相当するイベント記録装置２における時間を求めてもよい。以降の処理（ステップＳ１４０６〜Ｓ１４１０）については、実施の形態におけるコンテンツ生成の全体の流れの処理（ステップＳ６０５〜Ｓ６０９）と同様に行われる。
【００９１】
このように実施の形態３にかかるコンテンツ生成装置５では、撮像開始時に、イベント記録装置２とネットワークを確立し、イベント記録装置２に対してイベント記録装置２の現在時刻を問い合わせて、イベント記録装置２の現在時刻を取得し、取得後にイベント記録装置２とのネットワークを切断し、撮像終了後に、再度、イベント記録装置２とのネットワークを確立して時間同期処理およびコンテンツ生成処理を行っているので、プレゼンテーションの開催会場がネットワークの常時接続ができない環境であっても、撮影終了後に、動画データと画面画像データとイベント情報とから同期をとって、コンテンツデータを正確かつ効率的に生成することができる。
【００９２】
なお、プレゼンテーションが行っている間にネットワーク接続を行うタイミングとしては、本実施の形態のようにＤＶカメラ４により撮影開始時に限定されるものではなく、任意のタイミングで１回接続すればよい。
【００９３】
図１５は、イベント記録装置２およびコンテンツ生成装置５のハードウエア構成を示すブロック図である。図１５に示すように、イベント記録装置２およびコンテンツ生成装置５は、各種演算を行ない各部を集中的に制御するＣＰＵ１５１１と、各種のＲＯＭ、ＲＡＭからなるメモリ１５１２とが、バス１５１３で接続されている。
【００９４】
バス１５１３には、所定のインターフェイスを介して、ハードディスクなどの磁気記憶装置１５１４と、入力装置であるマウス１５と、入力装置であるキーボード２１と、ＬＣＤ等の表示装置１５１６とを備えている。また、光ディスクなどの記憶媒体１５１７を読み取る記憶媒体読取装置１５１８が接続可能であり、インターネットなどのネットワーク１５１９と通信を行なう所定の通信インターフェイス１５２０が接続されていてもよい。なお、記憶媒体１５１７としては、ＣＤ，ＤＶＤなどの光ディスク、光磁気ディスク、フレキシブルディスクなどの各種方式のメディアを用いることができる。また、記憶媒体読取装置１５１８は、具体的には記憶媒体１５１７の種類に応じて光ディスク装置、光磁気ディスク装置などが用いられる。
【００９５】
コンテンツ生成装置５には、その磁気記憶装置１５１４に、実施の形態１および２のプログラムを実現するコンテンツ生成プログラムが記憶されている。このコンテンツ生成プログラムは、記憶媒体１５１７から記憶媒体読取装置１５１８により読み取るか、あるいは、インターネットなどのネットワーク１５１９からダウンロードするなどして、磁気記憶装置１５１４にインストールしたものである。このインストールによりコンテンツ生成装置５は動作可能な状態となる。すなわち、ＣＰＵ１５１１がコンテンツ生成プログラムに基づいて動作することにより、後述の各種モジュールの機能をそれぞれ実現する。なお、コンテンツ生成プログラムは、特定のアプリケーションソフトの一部をなすものであってもよい。また、所定のＯＳ上で動作するものであってもよい。また、イベント記録装置２の磁気記憶装置１５１４には、所定のプレゼンテーション・ソフトも記憶されている。
【００９６】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【００９７】
【図１】実施の形態１であるコンテンツ生成装置５を含むコンテンツ生成システム１の全体構成を示す模式図である。
【図２】実施の形態１にかかるコンテンツ生成装置５のコンテンツ編集部３５と、イベント記録装置２のイベント処理部３２の機能構成を示すブロック図である。
【図３】プレゼンテーション資料３１ａについて説明するための模式図である。
【図４】イベント情報３１ｂのデータの内容を示す説明図である。
【図５】コンテンツ生成部４３の機能的構成を示すブロック図である。
【図６】実施の形態１にかかるコンテンツ生成システム１によるコンテンツ生成処理の全体の流れを示すシーケンス図である。
【図７】実施の形態１にかかるコンテンツ生成装置５におけるコンテンツ生成処理の手順を示すフローチャートである。
【図８−１】コンテンツ生成装置５側のネットワーク接続画面の例を示す模式図である。
【図８−２】コンテンツ生成装置５側のネットワーク接続画面の例を示す模式図である。
【図９】面画像リストの画面の一例を示す模式図である。
【図１０】コンテンツ生成の具体例を説明するための説明図である。
【図１１】コンテンツ生成の具体例を説明するための説明図である。
【図１２】コンテンツ編集部３５が生成したコンテンツファイル５２ａの一例を示す説明図である。
【図１３】実施の形態２にかかるコンテンツ生成装置５におけるコンテンツ生成処理の手順を示すフローチャートである。
【図１４】実施の形態３にかかるコンテンツ生成システム１によるコンテンツ生成処理の全体の流れを示すシーケンス図である。
【図１５】イベント記録装置２およびコンテンツ生成装置５のハードウエア構成を示すブロック図である。
【符号の説明】
【００９８】
１  コンテンツ生成システム
２  イベント記録装置
３  投影機
４  ＤＶカメラ
５  コンテンツ生成装置
２１  キーボード
３０  表示画面
３１ａ  プレゼンテーション資料
３１ｂ  イベント情報
３３  イベントキャプチャ部
３４  イベント記録部
３５  コンテンツ編集部
３６  通信部
３７  受信部
３９  撮影機器制御部
４０  動画キャプチャ部
４２  イベント処理部
４３  コンテンツ生成部
４４  通信部
５２  記憶媒体
５２ａ  コンテンツファイル
５３  表示制御部
５４  指示受付部
３１０，３１２，３１４，３１６，３１８，３２０  画面画像データ
４３０  区間決定部
４３３  同期部
４３６  同期調整部
４３８  生成部
１５１３  バス
１５１４  磁気記憶装置
１５１７  記憶媒体
１５１７  記憶媒体
１５１９  ネットワーク
【図１】
2007213263.tif 000003
【図２】
2007213263.tif 000004
【図３】
2007213263.tif 000005
【図４】
2007213263.tif 000006
【図５】
2007213263.tif 000007
【図６】
2007213263.tif 000008
【図７】
2007213263.tif 000009
【図８−１】
2007213263.tif 000010
【図８−２】
2007213263.tif 000011
【図９】
2007213263.tif 000012
【図１０】
2007213263.tif 000013
【図１１】
2007213263.tif 000014
【図１２】
2007213263.tif 000015
【図１３】
2007213263.tif 000016
【図１４】
2007213263.tif 000017
【図１５】
2007213263.tif 000018